(57)【特許請求の範囲】
【請求項１】
表示部と、操作部と、前記操作部の動きを検出する検出部と、第一時間をカウントする第一の状態において前記第一時間内に前記検出部からの出力に変化があった場合にその出力変化に応じて前記表示部における表示を変更するとともに前記第一時間のカウントをリセットして第一の状態を維持する一方、前記第一の状態において前記第一の時間内に前記検出部からの出力に変化がなかった場合には第二時間をカウントするとともに入力決定が行われようとしていることをユーザに視認させる第二の状態に遷移して前記第二時間内に前記検出部からの出力に変化があったか否かにより前記表示部における表示どおりの入力を行う制御部とを有し、前記制御部は、前記第二の状態において前記第二時間内に前記検出部からの出力に変化がなかった場合に前記表示部における表示どおりの入力決定を行うとともに前記第二の状態において前記第二時間内に前記検出部からの出力に変化があった場合は前記第二の状態を前記第一の状態に遷移させてその出力変化に応じて前記表示部における表示を変更するとともに前記第一時間のカウントを開始することを特徴とする入力装置。
【請求項２】
前記制御部は、前記検出部からの最初の出力変化に応じ、前記第一の状態に遷移して前記操作部による前記表示部の変化を可能とすることを特徴とする請求項１記載の入力装置。
【請求項３】
前記表示部は、所定時間後に入力決定が行われようとしていることをユーザに視認させるために前記第二時間のカウント状況を表示するカウント表示部を有することを特徴とする請求項１または２記載の入力装置。
【請求項４】
表示部と、操作部と、前記操作部の動きを検出する検出部と、所定時間をカウントしてこの所定時間内に前記検出部からの出力に変化があった場合にその出力変化に応じて前記表示部における表示を変更するとともに前記所定時間のカウントをリセットする一方、前記所定時間内に前記検出部からの出力に変化がなかった場合には前記表示部における表示どおりの入力を行う制御部と、所定時間後に入力決定が行われようとしていることをユーザに視認させるために前記所定時間のカウント状況を表示するカウント表示部とを有するとともに、前記カウント表示部は、前記所定時間の一部が経過してからカウント状況の表示を開始することを特徴とする入力装置。
【請求項５】
前記操作部は磁性媒体であり、前記検出部は磁性検出部であることを特徴とする請求項１ないし請求項４のいずれかに記載の入力装置。
【請求項６】
前記操作部は軸を中心として回転するダイヤル型であることを特徴とする請求項１ないし請求項５のいずれかに記載の入力装置。
【請求項７】
前記検出部は前記操作部の動作方向と動作速度とを算出するための信号処理部を備えることを特徴とする請求項１ないし請求項６のいずれかに記載の入力装置。
【発明の詳細な説明】
【技術分野】
【０００１】
本発明はリモートコントローラに関するものである。
【背景技術】
【０００２】
リモートコントローラでは機械的接触部分を有するボタン等が用いられることが一般的である。
【特許文献１】特開平７−１３２１３４号公報
【発明の開示】
【発明が解決しようとする課題】
【０００３】
しかしながらリモコンでは、ボタン等の機械的な接触部が故障することがあった。
【０００４】
本発明の課題は、上記に鑑み、リモコンの故障を起こりにくくすることである。
【課題を解決するための手段】
【０００５】
上記の課題を解決するため、本発明は、表示部と、操作部と、前記操作部の動きを検出する検出部と、第一時間をカウントする第一の状態において前記第一時間内に前記検出部からの出力に変化があった場合にその出力変化に応じて前記表示部における表示を変更するとともに前記第一時間のカウントをリセットして第一の状態を維持する一方、前記第一の状態において前記第一の時間内に前記検出部からの出力に変化がなかった場合には第二時間をカウントするとともに入力決定が行われようとしていることをユーザに視認させる第二の状態に遷移して前記第二時間内に前記検出部からの出力に変化があったか否かにより前記表示部における表示どおりの入力を行う制御部とを有し、前記制御部は、前記第二の状態において前記第二時間内に前記検出部からの出力に変化がなかった場合に前記表示部における表示どおりの入力決定を行うとともに前記第二の状態において前記第二時間内に前記検出部からの出力に変化があった場合は前記第二の状態を前記第一の状態に遷移させてその出力変化に応じて前記表示部における表示を変更するとともに前記第一時間のカウントを開始することを特徴とする入力装置を提供する。  この構成によれば、入力装置の操作のためのボタン等を極端に少なくすることができるので入力装置の操作部に起因する故障率を下げることができる。
【０００６】
本願発明の他の具体的な特徴によれば、第一時間と第二時間の長さは同じであることを特徴とする。
この構成によれば、入力装置のインターフェースの設計を簡易に行うことができる。たとえば入力装置内部の制御装置が備えるカウンタが複数必要な際にも同じものを複数用いることができる。
本願発明の他の具体的な特徴によれば、入力装置の備える制御部は、検出部からの最初の出力変化に応じ、第一の状態に遷移して操作部による表示部の変化を可能とすることを特徴とする。
この構成によれば、入力装置の操作が始まる前までは液晶に表示させる項目を少なくしておいて消費電力の低減を図ることができる。またユーザは操作部にふれるだけで入力装置の表示が変化するため、ユーザに対して入力装置を行いやすいインターフェースを提供することができる。  本願発明の他の具体的な特徴によれば、本願発明の入力装置の備える表示部は、第二時間のカウント状況を表示するカウント表示部を有することを特徴とする。  これにより操作部が一定時間操作されなかった際において、一定時間経過後に入力決定が行われようとしていることをユーザは視認することができる。  本願発明の他の具体的な特徴によれば、本願発明の入力装置の備えるカウント表示部の動作はその表示面積を増大させることを特徴とする。  これによりユーザはカウント動作が行われているということを確実に認識することができる。
【０００７】
本願発明の他の具体的な特徴によれば、本願発明の入力装置の備えるカウント表示部の動作はその表示面積を減少させることを特徴とする。  これによりユーザはカウント動作が行われているということを確実に認識することができる。  本願発明の他の具体的な特徴によれば、本願発明のカウント表示部はゲージであることを特徴とする。これにより視力の優れないユーザも、文字でカウントを確認する場合に比較してより確実にカウントを認識することができる。  本願発明の他の具体的な特徴によれば、本願発明の入力装置は、表示部と、操作部と、操作部の動きを検出する検出部と、所定時間をカウントしてこの所定時間内に検出部からの出力に変化があった場合にその出力変化に応じて表示部における表示を変更するとともに所定時間のカウントをリセットする一方、所定時間内に検出部からの出力に変化がなかった場合には表示部における表示どおりの入力を行う制御部と、を備えることを特徴とする。  この構成によれば、入力装置の操作のためのボタンを極端に少なくすることができるので入力装置の操作部に起因する故障率を下げることができる。  本願発明の他の具体的な特徴によれば、本願発明の入力装置の備える表示部は、所定時間のカウント状況を表示するカウント表示部を有することを特徴とする。  これにより操作部が一定時間操作されなかった場合において、一定時間経過後に入力決定が行われようとしていることをユーザは視認することができる。
【０００８】
本願発明の他の具体的な特徴によれば、本願発明の入力装置の備えるカウント表示部は、所定時間の一部が経過してからカウント状況の表示を開始することを特徴とする。  これにより入力装置の設計に用いるカウンタを極端に少なくすることができる。例えば唯一のカウンタを備え、当該カウンタのカウンタ値が一定値を超えたらカウント状況の表示を開始するというように入力装置のカウンタの構成を簡素にすることができる。  本願発明の他の具体的な特徴によれば、本願発明における入力装置における操作部は磁性媒体であり、検出部は磁性検出部であることを特徴とする。  これにより、ボタンを押してユーザの意図を入力装置に伝達する機械的な接触機構を用いずに入力を行うことができる入力装置を提供することができる。本願発明の他の具体的な特徴によれば、入力装置における操作部は軸を中心として回転するダイヤル型であることを特徴とする。これによりユーザは操作部を回転させるだけで入力装置の操作を行うことができるためユーザに対して直感的にわかりやすいインターフェースを提供することができる。
【０００９】
本願発明の他の具体的な特徴によれば、入力装置の検出部は信号処理部を備え、信号処理部において施された一定処理後の信号を出力することを特徴とする。  信号処理部ではユーザからの操作をデジタル信号に変えることにより、入力装置での処理をより簡潔なものとすることができる。  本願発明の他の具体的な特徴によれば、入力装置の備える信号処理部において施される一定処理は、操作部が動作したかしていないかの判定処理であることを特徴とする。  これにより、判定処理のスレショルドを調整することで操作部を誤操作したような微少な動きは入力操作として検知しない、とするような入力装置を提供することができる。  本願発明の他の具体的な特徴によれば、入力装置の備える信号処理部において施される一定処理は、操作部の動作方向と動作速度とを算出するための処理であることを特徴とする。  これにより、ユーザが操作部を操作した際の回転速度などを考慮して表示部に表示される項目をスクロールさせる度合いや方向を決定することができる。ユーザが操作部をより早く回転させることでスクロールさせる度合いを早くする、などより直感的なインターフェースを提供することができる。
【発明を実施するための最良の形態】
【００１０】
図１は、本発明の実施の形態に係るリモコンの第一実施例を説明するためのリモコンの外観と、リモコンの内部を説明するための正面図と側面図である。図１に示すリモコン１には液晶表示部３が前面に備え付けられており、通常はメイン画面５が表示される。メイン画面５には温度表示部７と水位表示部９と時計表示部１１とが表示される。そしてリモコン１はダイヤル１３により入力操作が行われる。
【００１１】
図１の正面図と側面図によりリモコン１の構成を説明する。リモコン１に備え付けられているダイヤル１３の内部には磁性媒体である磁石１５が備えられている。そしてダイヤル１３の動きに連動して磁石１５が動作し、その動作がホールセンサ１７により検出される。  ホールセンサ１７で検出された信号は制御部２０へと出力される。制御部２０はメモリ２１とカウンタ２３とを備えている。メモリ２１はリモコン１が現在保持している情報を記憶するための不揮発性記憶媒体である。カウンタ２３は詳細を後述するが、一定時間を測定するために用いられる。制御部２０からの出力は液晶ドライバ２５へと入力され、液晶ドライバ２５からの出力を受けて液晶表示部３が駆動される。  
【００１２】
図２から図１０までを用い、第一実施例において設定温度が変更されるまでの一連の動作について説明する。図２には第一実施例におけるメイン画面が表示されている。このメイン画面はリモコン１の電源が入力されている際に通常表示している画面である。この状態でダイヤル１３が操作されると図３のメニュー画面が表示される。  
【００１３】
図３は第一実施例におけるメニュー画面のうちのひとつである。メニュー画面３０にはメニュー３２が表示される。メニュー３２のうち、ユーザが今現在選択している項目は項目選択枠３４により囲まれる。メニュー３２のうち、選択項目が階層を有するものについては階層表示インデックス３６が表示される。第一実施例においてはメニュー３２に表示する文字を大きくしてある。そのため、選択項目一覧がメニュー３２に全て表示できない場合、それらがスクロールする構成となっている。図３に示すスクロール項目には「温度」「水位」「その他」「戻る」「ＥＸＩＴ」がある。メニュー３２がスクロールして選択項目を表示する必要がある場合はスクロールインデックス３８が表示される。棒状に横長に表示されているのはカウントバー４０であり、この詳細については後述する。図３に示すとおり、項目選択枠３４が温度を囲んだ状態で、一定時間が経過するとカウントバー４０が動作を始める。この動作は図４に示す。
【００１４】
図４では動作中のカウントバー４０が示されている。この状態でダイヤル１３が操作されるとカウントバーはリセットされて、カウント表示がバーの右側まで満たされる。一方カウントバーが動作を始めた状態でそのままダイヤル１３を操作しないでおくと、項目選択枠３４で選択している選択項目が決定されたことになる。ここでは「温度」の項目が選択されており、それが決定されることになる。  
【００１５】
図５には、温度設定画面にて温度パラメータ５０を設定するための画面が示されている。この状態でダイヤル１３を操作すると温度パラメータ５０の値が変化する。なお、この温度パラメータ５０は点滅表示される。これによりユーザは自分が操作している項目を一目で理解することができる。  
【００１６】
図６には、温度設定画面において温度パラメータが操作されている画面を示されている。ダイヤル１３が反時計方向に回転すると温度パラメータ５０はその値を下げ、ダイヤル１３が時計方向に回転すると温度パラメータ５０はその値を上げる。ここでは温度パラメータ５０を４２℃に設定することを目標とする。パラメータ５０が４２℃を示す状態でダイヤル１３が一定時間操作されないでいるとカウントバー４０が動作を開始する。  
【００１７】
図７に、温度パラメータ５０が４２℃を表示した状態でカウントバー４０が動作している状態を示す。ダイヤル１３が操作されるとカウントバー４０はリセットされる。ダイヤル１３が操作されない場合はカウントバー４０はその動作を続ける。そしてカウントバーが動作を完了すると温度パラメータ５０が４２℃として決定されたことになる。  
【００１８】
図８に、設定温度確認画面を示す。この画面では確認選択項目５２が表示される。この確認選択項目５２には「決定」と「戻る」が存在する。そして現在選択している確認項目は確認項目選択枠５４にて囲まれる。風呂の設定温度を４２℃から変更したい場合は「戻る」を選択してダイヤル１３を一定時間操作しない状態にし、カウントバー４０を動作させ、カウントバーの動作を完了させればよい。風呂の設定温度を４２℃として設定することに間違いがない場合は確認項目選択枠５４で「決定」を囲んだまま、ダイヤル１３を一定時間操作しないでおけばよい。
【００１９】
図９は、風呂の設定温度を４２℃として決定し、ダイヤル１３が一定時間操作されない場合にカウントバー４０が動作している状態を示している。この状態で風呂の設定温度を４２℃から変更したい場合はダイヤル１３を操作してカウントバー４０をリセットさせればよい。風呂の設定温度を４２℃として間違いがない場合はダイヤル１３を操作しないでカウントバー４０をそのまま動作終了させればよい。  
【００２０】
図１０は風呂の設定温度が４２℃となっていることを表示しているメイン画面である。このメイン画面を見ることによりユーザは自身の操作が入力操作の結果が反映されているか否かを確認することができる。  
【００２１】
図１１に、第一実施例におけるリモコンの操作インターフェースを説明するためのフローチャートを示す。図１１のフローチャートはリモコンの電源が投入されるとその動作を開始する。そしてステップＳ２にてメイン画面（図１の５）が表示される。そしてステップＳ４にてホールセンサが動きを検出するまではメイン画面を表示し続ける。ステップＳ４にてホールセンサが動きを検出するとステップＳ６にてメニューとカウントバーが表示される。そしてステップＳ８にてカウンタＡがスタートする。カウントＡはカウントバーを動作させるまでの時間をカウントするもので、一定時間内にダイヤルが操作されるとカウントをリセットする。ステップＳ１０にてホールセンサが動きを検出するとステップＳ１２にてホールセンサの検出結果を基に選択項目にカーソルが移動される。そしてステップＳ１４にてカウントはリセットされ、ステップＳ８に戻り再度カウントＡのカウントが行われる。
【００２２】
ステップＳ１０にてホールセンサが動きを検出しない場合はステップＳ１６にてカウント時間が３秒を経過するまではステップＳ１０に戻るループ処理が行われる。ステップＳ１６にてカウント時間が３秒経過したと判断される場合はステップＳ１８にてカウントＢがスタートするとともにカウントバーが動作を開始する。このカウントＢではカウントバーが動作完了するまでの時間が測定される。カウントバーの表示残量とカウンタのカウンタ時間とは一対一の関係を有する。ステップＳ１８に続いてステップＳ２０にてカウント時間が２秒を経過したか否か（カウントバーが動作を完了したか否か）を判断し、カウント時間が２秒を経過していないと判断される場合はステップＳ２２にてホールセンサが動きを検出するか否かを判断する。ステップＳ２２にてホールセンサが動きを検出しないと判断される場合はステップＳ２０へと戻るループを形成する。ステップＳ２２にてホールセンサが動きを検出したと判断される場合はステップＳ２４にてホールセンサの検出結果を基に選択項目にカーソルを移動し、ステップＳ２６にてカウントバーをリセットしてステップＳ８へと戻る。カウントバーのリセットとはカウントバーの表示状態を初期状態に戻すことである。
【００２３】
ステップＳ２０にてカウント時間が２秒経過したと判断される場合はステップＳ２８にて選択決定がなされたものと判断する。続いてステップＳ３０にて選択決定されたものが「ＥＸＩＴ」である場合はステップＳ２に戻りメイン画面を表示する。なおデフォルトでは選択項目は「ＥＸＩＴ」に設定されているが、「戻る」「温度設定」がデフォルトで設定されていてもよい。ステップＳ３０にて選択決定されたものが「ＥＸＩＴ」でない場合はステップＳ３４にて選択決定した項目が「戻る」であるか否かを判断する。ステップＳ３４にて選択決定した項目が「戻る」であると判断された場合はステップＳ３６にてひとつ上の階層がメイン画面であるか否かが判断される。ひとつ上の階層がメイン画面であると判断される場合はステップＳ２に戻りメイン画面を表示する。ステップＳ３６にてひとつ上の画面がメイン画面ではないと判断される場合はステップＳ４０にてひとつ上の階層に移動してステップＳ２にもどりメイン画面を表示する。  ステップＳ３４にて選択決定した項目が「戻る」ではないと判断された場合はステップＳ４２にて選択した項目が下階層をもつか否かを判断する。下階層を持つと判断される場合はステップＳ４４にてひとつ下の階層に進んで下位層のメニューを表示してステップＳ８へと戻る。  ステップＳ４２にて選択した項目が下階層を持たないと判断される場合はステップＳ４８にてパラメータ操作画面に移行する。なお、ステップＳ８とステップＳ１８にて動作するカウンタは同一もカウンタであっても別々のカウンタであってもよいが、測定する時間は異なる。すなわちステップＳ８でカウントする時間とステップＳ１８にてカウントする時間とは第一時間と第二時間というように別々の時間であるが、それをカウントするのに異なるカウンタを用いても良いし同一のカウンタを用いても良い。またステップＳ８とステップＳ１８とではそれぞれ３秒と２秒をカウントしているが、カウントする時間はこのとおりの時間に限られることはなく、例えばそれぞれ２秒をカウントする、というように設定しておけば選択項目を決定するまでの時間がより素早くなる。
【００２４】
図１２は、本願発明の第一実施例におけるパラメータ操作画面を説明するためのフローチャートであり、図１１のステップＳ４８を詳細に説明するものである。図１２において、ステップＳ５０にて操作対象のパラメータを点滅させる。そしてステップＳ５２にてカウントＡがスタートする。このカウントＡはカウントバーの動作を開始させるまでの時間を測定するためのカウントである。ステップＳ５２の後ステップＳ５４にてホールセンサが動きを検出するか否かを判断し、動きが検出されたと判断される場合はステップＳ５６にてホールセンサの検出結果に基づいてパラメータを調整する。そしてステップＳ５８にてカウンタをリセットしてステップＳ５２へと戻る。  ステップＳ５４にてホールセンサが動きを検出しないと判断される場合はステップＳ６０にてカウント時間が３秒経過するか否か判断がされる。カウント時間が３秒経過しないと判断される場合はステップＳ５４に戻るループ処理を形成する。ステップＳ６０にてカウント時間が３秒を経過したと判断される場合はステップＳ６２にてカウントＢのカウントが開始されると同時にカウントバーの動作が開始される。そしてステップＳ６４にてカウント時間が２秒経過したか否かの判断（ウントバーが動作完了したか否かの判断）がなされ、カウント時間が２秒経過していないと判断される場合はステップＳ６６にてホールセンサが動きを検出したか否か判断がなされる。ホールセンサが動きを検出しないと判断される場合はステップＳ６４へと戻るループが形成される。ステップＳ６６にてホールセンサが動きを検出したと判断される場合はステップＳ６８にてホールセンサの検出結果を基にパラメータを調整し、ステップＳ７０にてカウンタをリセット（カウントバーをリセット）してステップＳ５２へと戻る。
【００２５】
ステップＳ６４にてカウントＢのカウント時間が２秒経過（カウントバーが動作完了）したと判断される場合はステップＳ７２にて確認選択項目である「決定」「戻る」を表示する。そしてステップＳ７４にてカウントＡをスタートし、ステップＳ７６にてホールセンサが動きを検出したか否かの判断がなされ、検出したと判断される場合はステップＳ７８にてセンサの検出結果に基づいて選択項目を変更し、ステップＳ８０にてカウンタをリセットしてステップＳ７４へと戻る。ステップＳ７６にてホールセンサが動きを検出しなかったと判断される場合はステップＳ８２にてカウント時間が３秒を経過したか否かの判断がなされ、３秒経過していないと判断される場合はステップＳ７６に戻り、ステップＳ８２にて３秒が経過したと判断される場合はステップＳ８４へと進む。そしてステップ
Ｓ８４にてカウントＢのカウント（カウントバーの動作）がスタートし、ステップＳ８６にてカウントＢのカウント時間が２秒を経過したか否か（カウントバーの動作が完了したか否か）の判断がなされる。ステップＳ８６にてカウントＢのカウント時間が２秒に達していないとないと判断される場合はステップＳ８８にてホールセンサが動きを検出したか否かの判断がなされ、動きを検出していないと判断される場合はステップＳ８６に戻る。ステップＳ８８にて動きを検出したと判断される場合はステップＳ９０にてホールセンサの検出結果を基にパラメータの調整を行う。そしてステップＳ９２にてカウンタをリセットし（カウントバーをリセットし）ステップＳ７４に戻る。  ステップＳ８６にてカウントバーの動作が完了したと判断される場合はステップＳ９４にて選択項目が「決定」であるか否かの判断がなされ、「決定」ではないと判断される場合はステップＳ５０へと戻る。ステップＳ９４にて「決定」であると判断される場合はステップＳ９６にてメイン画面を表示して終了する。
【００２６】
以上図１から図１２を用いて第一実施例を説明した。この実施の形態によると、リモコンのパラメータを操作するのにたったひとつの入力部を利用することから、リモコンに備え付けられる液晶のサイズを大きくすることができる。これにより液晶に表示する文字を大きくすることができ、視力の優れないユーザにとっても使用しやすいリモコンを提供することができる。またリモコンのパラメータを操作する際の入力デバイスとして磁石とホールセンサとを用いることから、従来から使用されている機械的な入力ボタンを使用する場合に比較して、湿度が高い環境下においても故障の発生率を抑えることができる。
【００２７】
次に図１３と図１４とを用いて第二実施例について説明する。本実施例は制御部がカウントバーの動作開始まで測定する時間と、カウントバーが動作完了するまでの時間を測定するのに使用するカウンタを１つにした際のリモコンを制御するフローチャートについて述べるものである。
【００２８】
図１３は第一実施例の図１１に比較してステップＳ８がステップＳ１００に、ステップＳ１８がステップＳ１０２に、ステップＳ２０がステップＳ１０４に置き換わったものである。図１３を説明するに当たって図１１と符号を同じくするものについてはその説明を省略し、置き換わったステップだけについて説明する。  ステップＳ１００では第二実施例におけるリモコンの制御装置が備えるカウンタのスタートが開始される。そしてステップＳ１０２ではステップＳ１６にてカウント時間が３秒を経過した後にカウントバーが動作を開始する。そしてステップＳ１０４ではカウント時間が５秒経過したか否か（カウントバーが動作完了したか否か）を判断する。
【００２９】
図１４は第一実施例の図１２に比較してステップＳ５２がステップＳ１１０に、ステップＳ６２がステップＳ１１２に、ステップＳ６４がステップＳ１１４に、ステップＳ７４がステップＳ１１６に、ステップＳ８４がステップＳ１１８に、ステップＳ８６がステップＳ１２０に置き換わったものである。図１４のフローチャートを説明するにあたって図１２と符号を同じくするものについては説明を省略し、置き換わったステップだけについて説明する。
【００３０】
ステップＳ１１２ではステップＳ６０にてカウント時間が３秒経過した後にカウントバーの動作が開始される。そしてステップＳ１１４にて同じカウンタのカウント時間が５秒を経過したか否か（カウントバーの動作が完了したか否か）の判断が成される。カウント時間が５秒経過していないと判断されるときはステップＳ６６に、カウント時間が５秒経過したと判断されるときはステップＳ７２に進む。  ステップＳ１１８はステップＳ８２においてカウント時間が３秒経過したと判断されたのちにカウントバーの動作を開始させる。そしてステップＳ１２０にて同じカウンタのカウント時間が５秒を経過したか否か（カウントバーの動作が完了したか否か）の判断がなされる。カウント時間が５秒経過していないと判断される場合はステップＳ８８に、カウント時間が５秒経過したと判断される場合はステップＳ９４に進む。
【００３１】
図１３と図１４を用いて説明した第二実施例によると、カウントバーが動作開始まで測定する時間と、カウントバーが動作完了するまでの時間を測定するのに使用するカウンタを唯一とすることができ、カウンタを容易な構成とすることができる。
【図面の簡単な説明】
【００３２】
【図１】本発明の実施の形態に係るリモコンの第一実施例を説明するためのリモコンの外観と、リモコンの内部を説明するための正面図と側面図である。
【図２】第一実施例におけるメイン画面である。
【図３】第一実施例におけるメニュー画面のうちのひとつである。
【図４】第一実施例におけるメニュー画面において動作中のカウントバーを示すものである。
【図５】第一実施例における温度設定画面にて温度パラメータを設定するための画面である。
【図６】第一実施例における温度設定画面において温度パラメータが操作されている画面を示す。
【図７】第一実施例における温度設定画面においてカウントバーが動作している状態を示すものである。
【図８】第一実施例における温度設定画面における確認画面を示すものである。
【図９】第一実施例における温度設定画面において確認画面の後の動作中のカウントバーを示すものである。
【図１０】第一実施例におけるメイン画面で設定温度が４２℃に設定されているメイン画面を示すものである。
【図１１】第一実施例におけるリモコンの操作インターフェースを説明するためのフローチャートである。
【図１２】第一実施例におけるパラメータ操作画面を説明するためのフローチャートである。
【図１３】第二実施例におけるリモコンの操作インターフェースを説明するためのフローチャートである。
【図１４】第二実施例におけるパラメータ操作画面を説明するためのフローチャートである。
【符号の説明】
【００３３】
１  リモコン  ３  液晶表示部  ５  メイン画面７  温度表示部９  水位表示部１１  時計表示部１３  ダイヤル１５  磁石１７  ホールセンサ２０  制御部２１  メモリ２３  カウンタ２５  液晶ドライバ３０  メニュー画面３２  メニュー３４  項目選択枠３８  スクロールインデックス４０  カウントバー５０  温度パラメータ  ３１４  記憶手段  ２１８  絶対位置取得手段  
【図１】
0004987645.tif 000002
【図２】
0004987645.tif 000003
【図３】
0004987645.tif 000004
【図４】
0004987645.tif 000005
【図５】
0004987645.tif 000006
【図６】
0004987645.tif 000007
【図７】
0004987645.tif 000008
【図８】
0004987645.tif 000009
【図９】
0004987645.tif 000010
【図１０】
0004987645.tif 000011
【図１１】
0004987645.tif 000012
【図１２】
0004987645.tif 000013
【図１３】
0004987645.tif 000014
【図１４】
0004987645.tif 000015